(57)【特許請求の範囲】
【請求項１】
紙によって形成される膜と、
傘状に前記膜を支持する構造体と、
前記構造体の少なくとも一部を振動させる、駆動電圧に基づいて振動する少なくとも一つの振動モータと、
音声信号に基づく駆動電圧を供給して前記振動モータによる振動を制御する振動制御部と、
を備え、
前記振動モータは、前記構造体に接触して設けられ、
前記振動制御部は、前記振動モータ毎に、当該振動モータによる振動を制御する、
音発生装置。
【発明の詳細な説明】
【技術分野】
【０００１】
本発明は、音を発生させる音発生装置に関する。
【背景技術】
【０００２】
本明細書中で定義される傘とは、ドーム形状に支持される膜を有し、その膜によって、ある空間を環境の異なる二つの空間に隔てるものである。本明細書では、上記ドーム形状や、一方向に向かって立体的に先細る形状のことを傘状と称する。このように定義される傘を一つの部材として含む物品としては、雨傘、日傘、パラソル、テント、照明用の傘、などが挙げられる。例えば、雨傘は、親骨および受骨などの構造体により錐状に支持される膜（膜は、紙、合成樹脂、繊維などの材料によって形成される。）によって、その雨傘周囲の空間を、雨や日差しが降り注ぐ空間と雨や日差しが降り注がない空間とに隔てている。
【０００３】
ところで、特許文献１には、スピーカを含む音響装置が雨傘の中棒に設置された雨傘について開示されている。特許文献１の雨傘に設置された音響装置は、傘を開くと電源スイッチがオンの状態となり、スピーカから音を出力する。
【特許文献１】特開平９−４７３１１号公報
【発明の開示】
【発明が解決しようとする課題】
【０００４】
本発明は、傘状に支持される膜から音を出力させる音発生装置を提供することを目的とする。
【課題を解決するための手段】
【０００５】
本発明の音発生装置は、紙によって形成される膜と、傘状に前記膜を支持する構造体と、前記構造体の少なくとも一部を振動させる、駆動電圧に基づいて振動する少なくとも一つの振動モータと、音声信号に基づく駆動電圧を供給して前記振動モータによる振動を制御する振動制御部と、を備え、前記振動モータは、前記構造体に接触して設けられ、前記振動制御部は、前記振動モータ毎に、当該振動モータによる振動を制御する、ものである。
【００１４】
この構成により、傘状に支持される膜から音を出力させることができる。
音発生装置。
【００１７】
この構成により、傘状に支持される膜を効果的に振動させることができる。
【００１９】
この構成により、傘状に支持される膜から任意の楽曲を出力させることができる。
【００２１】
この構成により、膜における音場の定位を任意に制御することができる。
【発明の効果】
【００２２】
本発明の音発生装置によれば、傘状に支持される膜から音を出力させることができる。
【発明を実施するための最良の形態】
【００２３】
以下、本発明の実施の形態の音発生装置について詳細に説明する。ここでは、雨傘に張られた膜としての傘布（例えば、唐傘であれば傘布は紙によって形成され、ビニール傘であれば傘布は合成樹脂によって形成され、布傘であれば傘布は繊維によって形成される。）を振動させることによって、傘布から音を出力させる構成について説明する。図１に示す、本発明の実施の形態の音発生装置の構造を参照して、本発明の実施の形態の音発生装置の構造について説明する。なお、図１（ａ）は、雨傘を側面（中棒に対して垂直な方向）からみたときの構造、図１（ｂ）は、雨傘を底面（中棒に対して平行な方向）からみたときの構造、をそれぞれ示す。
【００２４】
まず、雨傘を構成する部材のうちの主要なものの名称を述べる。雨傘は、親骨１０１、受骨１０２、ダボ１０３、下ろくろ１０４、上はじき１０５、中棒１０６、露先１０７、傘布１０８、手元１０９、および石突１１０を含んで構成される。これらの部材のうち、親骨１０１、受骨１０２、ダボ１０３、下ろくろ１０４、上はじき１０５、中棒１０６、及び露先１０７は、膜としての傘布１０８を傘状に支持するための剛性部材に相当する。親骨１０１、受骨１０２、ダボ１０３、下ろくろ１０４、上はじき１０５、中棒１０６、及び露先１０７を構造体と称する。図１に示す構造体は、中軸１０６を軸心として、親骨１０１及び受骨１０２が放射状に組まれている。また、手元１０９及び石突１１０は、中棒１０６に連結されている。手元１０９及び石突１１０を連結部と称する。
【００２５】
本発明の実施の形態の音発生装置は、上記の雨傘を構成する構造体または連結部を振動子によって振動させることにより傘布を振動させ、傘布から音を出力させるものである。以降、本発明の実施の形態の音発生装置の構成、その音発生装置に用いる振動子の種類、及びその振動子の設置位置について詳細に説明する。
【００２６】
本発明の実施の形態の音発生装置は、雨傘に、振動モータ２１ａ、２１ｂ、及び振動制御部２２を取り付けたものである。図１では、振動モータ２１ａ、２１ｂが、中棒１０６を挟んで向かい合う親骨１０１ａ、１０１ｂの先端（露先１０７ａ、１０７ｂ）に接着されて設置されている。また、振動モータ２１ａ、２１ｂの回転数を制御する振動制御部２２が、中棒１０６における上はじき１０５の近辺に設置されている。振動制御部２２は、パワーアンプ回路によって構成され、オーディオデータを再生可能な再生装置（図１では、図示せず）からコネクタ２３を介して音声信号を入力し、その入力した音声信号を振動モータ２１ａ、２１ｂを駆動させることができる程度の電圧にまで増幅し、その増幅した音声信号を駆動電圧として供給することによって振動モータ２１ａ、２１ｂを駆動させる。
【００２７】
本発明の実施の形態の音発生装置は、振動モータ２１ａ、２１ｂが構造体の一部を構成する露先１０７ａ、１０７ｂを振動させて傘布１０８による振動を発生させることによって、空気の粗密を作り出し、音を発生させることができる。本発明の実施の形態の音発生装置の構成は、近年携帯電話に採用される謙価な振動モータを振動子として用いることによって、音発生装置の製作費用を極めて低価格にすることができる。
【００２８】
また、人が雨傘を利用するときには雨傘の傘布は人の頭部近くに位置するため、本発明の音発生装置の利用者は、当該音発生装置が発生した音を音発生源に近い位置にて聴くことになる。これにより、本発明の音発生装置の利用者は、当該音発生装置によって発生した音が利用者の全方位から聴こえてくる感覚を得ることができる。このため、本発明の実施の形態の音発生装置は、楽曲を聴くうえで臨場感のある環境を利用者に提供することができる。
【００２９】
なお、本発明の実施の形態の音発生装置の説明では、二つの振動モータ１０７ａ、１０７ｂを構造体に接触させる構成について述べたが、一つの振動モータを構造体に接触させる構成であっても、三つ以上の振動モータを構造体に接触させる構成であっても、傘布１０８から音を発生させることができる。一つの振動モータを構造体に接触させる構成では、利用者は、傘布における振動モータを配置した箇所近辺を音発生源として認識する。一方、二つ以上の振動モータを構造体に接触させる構成では、利用者は、それら二つ以上の振動モータの配置位置と振動モータそれぞれの振動の強さとによって特定される箇所近辺を音発生源として認識する。このため、二つ以上の振動モータを構造体に接触させる構成の場合、振動制御部２２が増幅する音声信号の増幅率を各振動モータ毎に制御することによって、傘布における音場の定位を任意に制御することができる。例えば、図１のように、二つの振動モータ２１ａ、２１ｂを、軸心としての中棒１０６を挟んで向かい合う親骨１０１ａ、１０１ｂの先端（露先１０７ａ、１０７ｂ）に配置し、振動制御部２２が音声信号の増幅率を各振動モータ２１ａ、２１ｂ毎に制御することによって、傘布における音場の定位を親骨１０１ａ、１０１ｂの長手方向に制御することができる。
【００３０】
なお、本発明の実施の形態の音発生装置の説明では、振動モータ２１ａ、２１ｂを露先１０７ａ、１０７ｂに配置する構成について説明したが、構造体の一部を構成する、親骨１０１、受骨１０２、ダボ１０３、下ろくろ１０４、上はじき１０５、または中棒１０６に配置する構成であっても、傘布１０８から音を発生させることができる。さらに、振動モータ２１ａ、２１ｂを、構造体に連結された連結部を構成する手元１０９及び石突１１０に配置する構成であっても、傘布１０８から音を発生させることができる。ただし、ある増幅率で増幅された音声信号を振動モータ２１ａ、２１ｂに入力する場合、振動モータ２１ａ、２１ｂを配置する箇所が傘布１０８に近い程、傘布１０８が発生する音圧は大きくすることができる。
【００３１】
なお、本発明の実施の形態の音発生装置の説明では、振動子を振動モータによって構成したが、振動モータに限るものではなく、例えば圧電素子であっても構わない。本発明の実施の形態の音発生装置を雨傘や日傘などの比較的形状の小さい傘に適用した場合、構造体に配置する振動子としては振動の強さがそれほど大きくない小型の振動モータや圧電素子であっても、利用者が聴くことができる程度の十分な音圧を得ることができるが、パラソルやキャンプ用のテントなどの比較的形状の大きい傘に適用した場合には、振動の強さが大きな振動モータが必要となる。
【００３２】
なお、本発明の実施の形態の音発生装置では、雨傘に適用した場合について詳細に説明したが、日傘、パラソル、テント、照明用の傘に適用する場合であっても、各種傘の膜を支持する構造体または連結部を振動子によって振動させることにより膜を振動させる構成は同様である。また、膜が剛性を有し、自身の剛性によって傘状に形成される膜を備える傘があるが（例えば、膜が金属で形成される照明用の傘）、このような傘であっても、構造体としての機能を兼ねる膜の一部を振動子によって振動させる構成によって、音を発生することができる。
【００３３】
なお、本発明の実施の形態の音発生装置では、振動制御部２２がオーディオデータを再生可能な再生装置からコネクタ２３を介して音声信号を入力する構成について説明したが、振動制御部２２に無線通信機能を設け、振動制御部２２が当該再生装置から無線を介して音声信号を入力する構成であっても構わない。
【産業上の利用可能性】
【００３４】
本発明の音発生装置によれば、傘状に支持される膜から音を出力させることができるという効果を奏し、傘から音を発生させる音発生装置の分野において有用である。
【図面の簡単な説明】
【００３５】
【図１】本発明の実施の形態の音発生装置の構造  （ａ）雨傘を側面（中棒に対して垂直な方向）からみたときの構造  （ｂ）雨傘を底面（中棒に対して平行な方向）からみたときの構造
【符号の説明】
【００３６】
１０１  親骨
１０２  受骨
１０３  ダボ
１０４  下ろくろ
１０５  上はじき
１０６  中棒
１０７  露先
１０８  傘布
１０９  手元
１１０  石突
２１  振動モータ
２２  振動制御部
２３  コネクタ
【図１】
0004524419.tif 000002